(57)【要約】【課題】  本考案は、スロットマシンなどのメダルを用いるゲーム機でメダルを迅速にゲーム機に供給するためのメダル供給補助器具を提供する事である。【解決手段】  メダルの径よりやや大きい内径を持つ有底筒状のメダル貯留部３を持ち、このメダル貯留部３からメダルを整列させる樋状の導入口５を延出し、この導入口５の両側縁から先端にかけて左右に広がるスコップ状の補助受け部６を張り出した形であって、手で持ってゲーム機の下部のトレイに積もったメダルをすくうとメダルが自然に整列されてメダル貯留部３に収まるようにしたメダル整列器具を提供する。【選択図】図１
0003127661.tif 000002
【実用新案登録請求の範囲】
【請求項１】
使用されるメダルの外径よりやや大きい外径を持つ有底の筒より成るメダル貯留部と、このメダル貯留部の口端縁から桶状に延出されたメダル導入口と、このメダル導入口の両側縁と先端部に連接し、左右に拡がってスコップ状を呈する補助受け部、とより成るメダル整列器具。
【考案の詳細な説明】
【技術分野】
【０００１】
本考案は、スロットマシン等のメダルやコインを用いてゲームを行う種々のゲーム機にメダルを供給する場合のメダル供給補助器具に関する。
【背景技術】
【０００２】
図３に示すようなスロットマシン７において、メダルの供給はゲームをする者がゲームを行いながら手で行うので、細い投入口８にメダルを供給するには熟練を要し、ゲームに集中する事を妨げられて興味を削がれる一因になっている。
【０００３】
この解決案として各種の提案がされている（特開２００５−４０５１５号ほか）。これらは従来の投入口８の上に連続投入口を設け、傾斜面でメダルを揃えると共にメダル投入口に滑り込ませるもので、既設のゲーム機に取付けるため、機種により取付け部の形を変える必要があり、また大量投入によりメダル詰まりを起こす懸念もある。
【特許文献１】特開２００５−４０５１５号
【考案の開示】
【考案が解決しようとする課題】
【０００４】
本考案では、ゲームをする者が手でメダルを数枚から十数枚、ゲーム機の投入口に指で送りながら連続的に投入する際、スムーズにメダル供給が行えるよう、瞬時にメダルを整列させ、遊戯者のゲーム機への投入を楽にするための、ゲーム機とは別体のメダル整列器具を提供する事である。
【課題を解決するための手段】
【０００５】
使用されるメダルの外径よりやや大きい外径を持つ有底の筒より成るメダル貯留部と、このメダル貯留部の口端縁から桶状に延出されたメダル導入部と、このメダル導入部の両側縁と先端部に連接し、左右に拡がってスコップ状を呈する補助受け部、とより成るメダル整列器具を提供する。
【考案の効果】
【０００６】
図３においてゲーム機７のメダル貯留用の下部トレイ９の横に設置された図外のメダル貸し機から供給されるメダルは、通常貯留用の下部トレイ９にバラバラに供給されるが、遊戯者はこれを手で拾い集めてゲーム機の投入口８に整列させながら供給しゲームを行う。
【０００７】
メダル貸し機の供給口下に直接、上記の構成をもった本案整列器具の先端の収集口を持って行くと、バラバラに貸し機の供給口から出てくるメダルを瞬時に整列させながらメダル貯留部に収容する事ができる。
【０００８】
収集口に落ちたメダルは導入部で整列され、メダルの径（通常径は２５ｍｍと３０．３ｍｍの２種類）よりやや太い筒状のメダル貯留部で自動的に強制整列され保持されることになる。
【０００９】
整列されたメダルは本案器具を傾けると、収集口から遊戯者の手に整列したまま排出され、適当な枚数をつまんでゲーム機の投入口に供給できる。
【００１０】
またゲームが進み、ゲーム機のメダル貯留用の下部トレイ９の中にメダルが溜ってきた時は、本案メダル整列器具の収集口をスコップの様にしてメダルをすくい取れば簡単にメダルを整列できる。従来は数枚から十数枚を手で掴み、片手で指を使って整列させ、もう一方の手でメダルを投入していたが、この整列器具を使用すればスムーズに整列・投入が出来るため、手もメダルも汚れにくく、手が汚れるため敬遠していた女性ユーザーにもゲームを楽しんでもらうことが出来る。
【考案を実施するための最良の形態】
【００１１】
以下図１、図２によって本考案の実施の形態を説明する。１がメダル整列器具で、メダル貯留部３とメダル貯留部３の口縁から前方に延出された導入口５とその先端縁の収集口２と、導入口５の両側縁から先端にかけて、この両側縁と先端縁に連接し、両側に拡がってスコップ状の形を呈する補助受け部６とより成り、桶状に延出された樋状の部分５がメダル整列に寄与するのである。
【００１２】
メダル貯留部３は使用するメダルの外径よりやや大きい内径を有する有底の筒でその内径はメダル外径より０．３ｍｍから５ｍｍの範囲でメダルの径より大きい。貯留部３の内径とメダル外径の隙間が小さ過ぎるとメダルが貯留部３の底に自然落下し難く、広過ぎるとメダルの中に貯留部３内に縦に入るものが生じ、メダルが円滑に貯留部３内に収まらない。
【００１３】
また、本考案メダル整列器具の貯留部３はメダル５０枚程度の保持とメダルの整列に最低必要な長さと持ち易さを考慮して１００〜１１０ｍｍ程度が良い。
【００１４】
本考案の要部の一つである補助受け部６は桶状に延出された導入口５の先端の収集口２と共に、メダル群からメダルをすくい集め桶状の導入口５へと寄せる働きをし、或はメダル供給部（図３で図外）からバラバラと供給されるメダルを受けて導入口５へ送る働きをする。
【００１５】
このため補助受け部６は左右に拡がっていると共に、両側縁はやや上方に反っている。つまりスコップ状の形になっており、堆積したメダルから適数枚を掻き集めすくい上げるのに適しているのである。
【００１６】
本考案のもう一つの要点はメダル貯留部３の口端から延出された導入口５とその先端の収集口２であるが、これが桶状に延出されているので、メダルを一列に揃えることが出来る。これは桶状部分が貯留部３とつながっていて、桶状の底部の曲率半径が貯留部３内面の半径と同じ或はほぼ同じだからで、桶状の底部の曲率半径がメダルの外径より余り大き過ぎるとメダルを整列させる作用が失われる。
【００１７】
なおこゝで桶状と言うのは円筒の側面が円周に沿って１８０°以上あいているものである。
【実施例】
【００１８】
上述した実施形態の変形例を述べる。上例では補助受け部６は本体の貯留部３とは別体で貯留部３に取付ける造りで、両者の連接部には多少の段が出来てはいるが、その程度の段はメダルの滑らかな動きには支障は無い。この両者は一体成型で造ってもよい。
【００１９】
ゲーム中に、煙草やドリンクといった賞品とメダルを交換する事があるが、メダルはパチンコ玉の様に容易に計数出来なかったが、整列器の貯留部３を透明にして枚数カウントが出来る目盛りをつけておけば、整列させた目盛りでメダル数を読み、賞品と交換するとき便利である。この時、交換する枚数が予め決められていれば、その交換枚数の所に目盛りと共に絵や文字で交換する賞品を表示しておくと更に使い勝手が向上する。
【００２０】
補助受け部６の幅は左右合わせて６０〜８０ｍｍであると、メダル貸し機からメダルを受け取る場合、メダル貸し機の供給口の幅が４０ｍｍ位までに対応することができる。
【図面の簡単な説明】
【００２１】
【図１】本考案メダル整列器具の全体斜視図。
【図２】上記の正面図。
【図３】ゲーム機一般の斜視図。
【符号の説明】
【００２２】
１  メダル整列器具
２  収集口
３  筒状の貯留部
４  底部
５  導入口
６  補助受け部
７  ゲーム機
８  メダル投入口
９  メダル貯留用の下部トレイ
【図１】
0003127661.tif 000003
【図２】
0003127661.tif 000004
【図３】
0003127661.tif 000005